(57)【要約】【課題】記録品位も良く、記録直後の定着性も良い画像を得られる記録装置、および記録方法を提供すること。【解決手段】記録データに文字が含まれている場合に、単位面積あたりに付与するインクの総量が文字データとイメージデータとで同じ場合、１回の走査で付与するインク量をイメージデータよりも文字データの方が少なくなるようにする。【選択図】図３
2012101468.tif 000002
【特許請求の範囲】
【請求項１】
顔料インクと、該顔料インクと接触することで反応する反応インクとを吐出する記録ヘッドが走査することで、画像データに基づいた画像を記録媒体に形成する記録装置であって、
前記画像データが、文字データまたは線画データであるか、イメージデータであるかを所定領域ごとに判断する判断手段と、
前記記録媒体における同一の領域に対して、前記記録ヘッドの複数回の走査で画像を完成させるときに、前記画像データを各走査ごとに振り分ける振り分け手段と、
を有し、
前記画像データの前記文字データまたは前記線画データにおける単位面積あたりに付与する顔料インクの総量と、前記イメージデータにおける単位面積あたりに付与する顔料インクの総量と、が同じである場合に、
前記振り分け手段は、前記記録ヘッドの１回の走査での前記イメージデータで付与するインク量よりも、前記文字データまたは前記線画データで付与するインク量の方が少なくなるように前記画像データを振り分けることを特徴とする記録装置。
【請求項２】
前記振り分け手段は、前記文字データまたは前記線画データの画像を形成する際の前記記録ヘッドの走査回数が、前記イメージデータの画像を形成する際の前記記録ヘッドの走査回数より多くなるように前記画像データを振り分けることを特徴とする請求項１に記載の記録装置。
【請求項３】
前記振り分け手段は、前記画像データに基づき前記反応インクを塗布する際の前記記録ヘッドの走査回数を、前記文字データまたは前記線画データに基づき前記顔料インクを塗布する際の前記記録ヘッドの走査回数よりも少なくなるように、前記画像データを振り分けることを特徴とする請求項２に記載の記録装置。
【請求項４】
前記顔料インクの前記記録媒体に対する浸透性は、前記反応インクの前記記録媒体に対する浸透性よりも相対的に高いことを特徴とする請求項１ないし請求項３のいずれか１項に記載の記録装置。
【請求項５】
顔料インクと、該顔料インクと接触することで反応する反応インクとを吐出する記録ヘッドが走査することで、画像データに基づいた画像を記録媒体に形成する記録方法であって、
前記画像データが、文字データまたは線画データであるか、イメージデータであるかを所定領域ごとに判断する判断工程と、
前記記録媒体における同一の領域に対して、前記記録ヘッドの複数回の走査で画像を完成させるときに、前記画像データを各走査ごとに振り分ける振り分け工程と、
を有し、
前記画像データの前記文字データまたは前記線画データにおける単位面積あたりに付与する顔料インクの総量と、前記イメージデータにおける単位面積あたりに付与する顔料インクの総量と、が同じである場合に、
前記振り分け工程では、前記記録ヘッドの１回の走査での前記イメージデータで付与するインク量よりも、前記文字データまたは前記線画データで付与するインク量の方が少なくなるように前記画像データを振り分けることを特徴とする記録方法。
【発明の詳細な説明】
【技術分野】
【０００１】
本発明は、インクを吐出して記録媒体上に画像を形成する記録装置、および記録方法に関する。
【背景技術】
【０００２】
記録媒体にインクを吐出して記録を行うインクジェット記録装置は、高密度かつ高速な記録が可能であり、種々の記録媒体に容易に記録を行うことができる。また、このインクジェット記録装置に用いられるインクジェット記録方法は、ランニングコストが安く、記録に伴って発生する騒音が小さいなどの多くの利点を有している。このような点から、インクジェット記録方法は、プリンタ、ポータブルプリンタ等、各種の画像出力装置としてとして広く用いられ、また商品化されている。
【０００３】
インクジェット記録装置の記録方式としては、記録ヘッドおよびインクタンクを搭載するキャリッジを記録媒体に対して走査し、その間にインクを吐出してその領域の記録を行う所謂シリアル方式が知られている。そしてこのシリアル方式は、上記走査と走査との間に記録媒体を走査方向と略直交する方向に所定量搬送するものであり、これら走査と記録媒体搬送とを繰返すことによって記録媒体全体に記録を行う。別の記録方式として、所謂フルライン方式も知られている。この方式は、記録媒体の幅に対応した範囲に吐出口を配列した記録ヘッドを用い、この記録ヘッドに対して記録媒体を搬送しつつ記録を行うものである。
【０００４】
近年では、インクジェット記録装置を用いて普通紙に画像を記録するような場合においても、高品位な文字画像が求められている。文字品位を向上させる方法として、文字のエッジ部は、同一の記録領域に対して１回の記録走査で記録を行う、所謂１パス記録で最大１００％ｄｕｔｙで記録し、非エッジ部は２パスで１００％以上のｄｕｔｙで記録する方法がある（特許文献１参照）。なお、ここでｄｕｔｙとは、単位記録領域あたりに付与される最大インク量に対するインク量の割合をいうものとする。この特許文献１によると、エッジ部は１パス最大１００％ｄｕｔｙで記録することで文字のにじみを低減させることができ、非エッジ部を多パス１００％以上のｄｕｔｙで記録することで濃度を高めることができ、文字の記録品位を向上させている。
【先行技術文献】
【特許文献】
【０００５】
【特許文献１】特開平０９−１５６１３０号公報
【発明の概要】
【発明が解決しようとする課題】
【０００６】
しかしながら、非エッジ部を１００％以上のｄｕｔｙで記録する特許文献１の方法では、非エッジ部を１００％ｄｕｔｙより少ないｄｕｔｙで記録する方法と比較して、記録直後のインクの定着性が劣ってしまう。これは、インクジェット記録装置で用いるインクは水分を多量に含むものであり、非エッジ部に通常量以上のインクを付与することで、記録媒体表面の水分が浸透するのに時間がかかるためである。なお、記録直後の定着性は、記録直後に触ることで評価することができる。例えば、記録直後の記録物に触れたときに、インクが触れたものに転写が生じたり、周囲へのインクの広がりが生じた場合を記録直後の定着性が悪いと判断する。
【０００７】
よって本発明では、記録品位も良く、記録直後の定着性も良い画像を得られる記録装置、および記録方法を提供することを目的とする。
【課題を解決するための手段】
【０００８】
そのため本発明の記録装置は、顔料インクと、該顔料インクと接触することで反応する反応インクとを吐出する記録ヘッドが走査することで、画像データに基づいた画像を記録媒体に形成する記録装置であって、前記画像データが、所定領域ごとに、文字データまたは線画データであるか、イメージデータであるかを判断する判断手段と、前記記録媒体における同一の領域に対して、前記記録ヘッドの複数回の走査で画像を完成させるときに、前記画像データを各走査ごとに振り分ける振り分け手段と、を有し、前記判断手段による判断で、前記画像データの前記文字データまたは前記線画データにおける単位面積あたりに付与する顔料インクおよび反応インクの総量と、前記イメージデータにおける単位面積あたりに付与する顔料インクおよび反応インクの総量と、が同じである場合に、前記振り分け手段は、前記記録ヘッドの１回の走査での前記イメージデータで付与するインク量よりも、前記文字データまたは前記線画データで付与するインク量の方が少なくなるように前記画像データを振り分けることを特徴とする。
【発明の効果】
【０００９】
本発明によれば記録装置は、画像データが、所定領域ごとに、文字データまたは線画データであるか、イメージデータであるかを判断する判断手段を備える。さらに記録装置は、記録媒体における同一の領域に対して、記録ヘッドの複数回の走査で画像を完成させるときに、画像データを各走査ごとに振り分ける振り分け手段を備える。そして、文字データにおける単位面積あたりに付与するインク総量と、イメージデータにおける単位面積あたりに付与するインク総量とが同じ場合、イメージデータで付与するインク量よりも、文字データで付与するインク量の方が少なくなるように画像データを振り分ける。これによって、記録品位も良く、記録直後の定着性も良い画像を得られる記録装置、および記録方法を実現することができる。
【図面の簡単な説明】
【００１０】
【図１】本実施形態のインクジェット記録装置の要部を示した斜視図である。
【図２】本実施形態の記録システムの構成を示すブロック図である。
【図３】本実施形態における記録制御を示すフローチャートである。
【図４】（ａ）から（ｃ）は、画像データの振り分けマスクを示した図である。
【発明を実施するための形態】
【００１１】
以下、図面を参照して本発明の実施形態について説明する。
【００１２】
図１は、本実施形態のインクジェット記録装置の要部を示した斜視図である。記録ヘッド５は、配列された複数の吐出口から記録媒体１に対してインクを吐出することにより画像を記録する。記録ヘッド５は、反応インク（Ｓ）と、ブラック（Ｋ）、シアン（Ｃ）、マゼンタ（Ｍ）、イエロー（Ｙ）のカラーインクをそれぞれ吐出する５つの記録ヘッド５Ｓ、５Ｋ、５Ｃ、５Ｍ、５Ｙを有する。記録ヘッド５Ｓ、５Ｋ、５Ｃ、５Ｍ、５Ｙのそれぞれには、１２００ｄｐｉの密度で１２８０個の吐出口（以下、ノズルとも称する）が配列されており、各吐出口２３から１度に吐出されるインク量は約４ｎｇである。反応インクＳは、インクと接触することでインクの発色性や定着性が向上するようなインク（処理液、反応液とも称する）であり、色材が添加されていない無色のインクでも、色材が添加されるような有色のインクでもどちらでもよい。
【００１３】
また、インクタンク６は、記録ヘッド５Ｓ、５Ｋ、５Ｃ、５Ｍ、５Ｙのそれぞれに対応するインクを供給するためのインクを貯蔵し、５つのインクタンク６Ｓ、６Ｋ、６Ｃ、６Ｍ、６Ｙを有している。この記録ヘッド５とインクタンク６とは、一体的または分離可能にヘッドカートリッジを構成し、そのヘッドカートリッジが不図示のキャリッジに着脱可能に搭載される。なお、記録ヘッド５とインクタンク６とは、ヘッドカートリッジを構成せずに、別々にキャリッジに搭載されるものであってもよい。記録ヘッド５を搭載したキャリッジは、ベルト４を介してキャリッジモータ２３により主走査方向（図中矢印Ｘ方向）に往復移動する。また、記録媒体１は、搬送ローラによって、主走査方向と交差（本実施形態の場合は、直交）する副走査方向（図中矢印Ｙ方向）に搬送される。インクジェット記録装置は、キャリッジを移動しながら記録ヘッド５からインクを吐出する記録走査と、記録媒体１の搬送動作とを繰り返して、記録媒体１に画像を形成する。
【００１４】
また、記録ヘッド５は、記録媒体の同一の記録領域に対して複数回の走査によって記録を完成させる、所謂マルチパス記録を行うことが可能となっている。
【００１５】
キャップ７は、５つの記録ヘッド５夫々の吐出口が形成された吐出口面をキャップするもので、５つのキャップ７Ｓ、７Ｋ、７Ｃ、７Ｍ、７Ｙを有する。記録ヘッド５およびインクタンク６を搭載したキャリッジは、記録を行わない時には、キャップ７のあるホームポジションに戻る。また、キャリッジがホームポジションで待機してから一定時間に達した場合には、記録ヘッド５の吐出口面が乾燥したり、吐出口からインクが蒸発することを防止するために、記録ヘッド５の吐出口面にキャップ７を当接するキャッピング動作を行う。
【００１６】
なお、これらの記録ヘッドやインクタンクを個別的に言及する場合には、夫々に付された参照番号を用いるが、包括的に言及する場合には総称的な参照番号として、記録ヘッドには「５」、インクタンクには「６」、キャップには「７」を用いる。
【００１７】
図２は、本実施形態の記録システムの構成を示すブロック図である。本実施形態の記録システムは、ホスト装置１００とインクジェット記録装置２００とを含むシステムである。ホスト装置１００は、情報処理装置としての機能を有するパーソナルコンピュータやデジタルカメラなどを用いることができ、インクジェット記録装置（プリンタ）２００に接続される装置である。このホスト装置１００は、ＣＰＵ１０、メモリ１１、外部記憶部１３、キーボードやマウス等の入力部１２、プリンタ２００との通信を行うためのインターフェイス１４を備えている。ユーザは、メモリ１１に格納されているプログラム（アプリケーション）を実行してインクジェット記録装置２００から出力する画像データを作成することが可能である。ＣＰＵ１０は、メモリ１１に格納されたプログラムに従って、種々の処理を実行するものであり、ユーザにより作成された画像データや撮影された画像データに対して、色処理や量子化処理等の画像処理などを実行する。画像処理を施された記録データは、インターフェイスを介して接続されているインクジェット記録装置２００に送信される。
【００１８】
また、インクジェット記録装置２００は、マイクロプロセッサ等のＣＰＵ２０ａ、ＣＰＵ２０ａのワークエリアとして使用されると共に記録データやレジ調整値などの各種データの保管等を行うＲＡＭ２０ｂを備える制御部２０を有している。制御部２０は、ＣＰＵ２０ａの制御プログラムや各種データを格納しているＲＯＭ２０ｃも備えている。さらに、インクジェット記録装置２００は、インターフェイス２１、操作パネル２２、ドライバ２７、２８を備えている。ドライバ２７は、キャリッジ駆動用のモータ２３、給紙ローラ駆動用のモータ２４、第１搬送ローラ対駆動用のモータ２５、第２搬送ローラ対駆動用のモータ２６それぞれのモータを駆動制御し、ドライバ２８は記録ヘッド５を駆動制御する。ホスト装置１００から送信され、インクジェット記録装置２００のインターフェイス２１を介して受信した記録データは、制御部２０のＲＡＭ２０ｂに格納される。ＲＡＭ２０ｂに格納された記録データにしたがって、制御部２０は、各モータ２３〜２６を駆動させるためのＯＮ、ＯＦＦ信号をドライバ２７に、吐出信号等をドライバ２８にそれぞれ出力し、記録媒体に画像を形成する。
【００１９】
次に、本実施形態において適用可能なインクについて説明する。なお、以下の記載において、部、％とあるものは特に断わらない限り質量基準である。又、残部とあるのは、インク或いは反応インクの全量が１００部となるように、イオン交換水で調整したことを意味する。
【００２０】
［各色インクの調製］
先ず、夫々顔料とアニオン性化合物とを含むブラック、シアン、マゼンタ、及びイエローの各色インクを調製した。
【００２１】
（インクＢｋの調製）
＜顔料分散液の作製＞
・スチレン−アクリル酸共重合体（酸価：２１０、重量平均分子量：９，０００）１．５部
・モノエタノールアミン  １．０部
・ジエチレングリコール  ５．０部
・イオン交換水        ８１．５部
【００２２】
上記成分を混合し、ウォーターバスで７０℃に加温し、樹脂分を完全に溶解させる。この溶液に新たに試作されたカーボンブラック（ＦＷ１８、デグッサ社製）１０部、エチレングリコール４部を加え、３０分間プレミキシングを行った後、下記の条件で分散処理を行った。
・分散機：サンドグラインダー（五十嵐機械製）
・粉砕メディア：ジルコニウムビーズ、１ｍｍ径
・粉砕メディアの充填率：５０％（体積比）
・粉砕時間：３時間
【００２３】
更に、遠心分離処理（１２，０００ｒｐｍ、２０分間）を行い、粗大粒子を除去して顔料分散液とした。上記で得た顔料分散液を使用し、下記の組成比を有する成分を混合し、顔料を含有するインクを作製してインクとした。このときの表面張力は３６ｍＮ／ｍであった。インクの組成中に使用したサーフィノール４６５（商品名：日信化学社製）は、アセチレンジオールにエチレンオキサイドを付加させたノニオン系界面活性剤である。
・上記顔料分散液    ３０．０部
・グリセリン        １０．０部
・エチレングリコール  ５．０部
・トリメチロールプロパン  ７．０部
・サーフィノール４６５    １．０部
・イオン交換水      残部
【００２４】
（インクＣの調製）
インクＢｋの調製の際に使用したカーボンブラック（ＦＷ１８、デグッサ社製）１０部をピグメントブルー１５に代えたこと以外は、インクＢｋの調製と同様にして顔料を含有したインクＣを調製した。
【００２５】
（インクＭの調製）
インクＢｋの調製の際に使用したカーボンブラック（ＦＷ１８、デグッサ社製）１０部をピグメントレッド７に代えたこと以外は、インクＢｋの調製と同様にして顔料を含有したインクＭを調製した。
【００２６】
（インクＹの調製）
インクＢｋの調製の際に使用したカーボンブラック（ＦＷ１８、デグッサ社製）１０部をピグメントイエロー７４に代えたこと以外は、インクＢｋの調製と同様にして顔料を含有したインクＹを調製した。
【００２７】
（反応インクの調整）
上述のようなアニオン性樹脂により顔料を分散して調整しているインクは、多価金属イオンを含む反応インクと接触することで、顔料の分散状態が破壊され顔料が凝集または堆積する。インクと反応インクとの接触により、インク内の顔料が凝集または堆積することで発色性や定着性が向上する。反応インクに用いることができる多価金属イオンの具体例は、Ｃａ２＋、Ｃｕ２＋、Ｎｉ２＋、Ｍｇ２＋、Ｚｎ２＋及びＢａ２＋等の二価の金属イオンや、Ａｌ３＋、Ｆｅ３＋、Ｃｒ３＋、及びＹ３＋等の三価の金属イオン等が挙げられる。又、その塩とは、上記に挙げたような多価金属イオンとこれら多価金属イオンに結合する陰イオンとから構成される金属塩のことであるが、水に可溶なものであることを要する。塩を形成するための陰イオンは、ＳＯ４２−、Ｃｌ−、ＣＯ３２−、ＮＯ３−、Ｉ−、Ｂｒ−、ＣｌＯ３−及びＣＨ３ＣＯＯ−、ＨＣＯＯ−等が挙げられる。勿論、上記の化合物に限定されるものではない。
【００２８】
下記の組成からなる各成分を混合溶解した後、更にポアサイズが０．２２μｍのメンブレンフィルター（商品名：フロロポアフィルター、住友電工製）にて加圧濾過し、ｐＨが４．０に調整されている反応インクを得た。反応インクの組成中に使用したサーフィノール４６５（商品名：日信化学社製）は、アセチレンジオールにエチレンオキサイドを付加させたノニオン系界面活性剤である。
【００２９】
＜反応インクの組成＞
・ジエチレングリコール        ８．０部
・１，３−プロパンジオール  １２．０部
・硝酸マグネシウム            ５．８部
・サーフィノール４６５        ０．２部
・イオン交換水            残部
【００３０】
このように、本実施形態では、インクと接触することで顔料が凝集または堆積する反応インクを用いることで、インクの発色性や定着性を向上させている。反応インクを用いることにより、記録直後の記録物に触れたとしても転写されることはなく、記録直後の定着性が良くなる。しかしながら、反応インクを用いたとしても記録直後の文字や線画部分に蛍光マーカでラインを引いたときには、蛍光マーカで引いたライン部分に記録媒体表面に凝集または堆積している顔料がにじむ現象が見られる。その場合、記録媒体に記録された文字が尾引いたり、蛍光マーカがインクで汚れてしまう。そこで本発明では、文字や線画部分の画像データの記録走査回数を、イメージ画像の記録走査回数よりも多くなるように画像データを振り分ける。これによって、上記のような汚れを低減させて、文字・線画画像の記録直後の定着性をさらに良くしている。
【００３１】
反応インクの多価金属イオンと顔料インクとが接触することで反応できる反応量は、反応インクに含まれている多価金属イオンの量に応じておおよそ決まっている。しかしながら、記録媒体上では多価金属イオン全てを顔料インクと反応させることは難しい。これは、反応インクと顔料インクとが同時に大量に記録媒体上に付与された場合に、多価金属イオンと顔料インクが接触して反応する前に記録媒体に吸収されることに起因していると考えられる。そこで本発明では、反応インクと顔料インクとがより反応するように、顔料インクの記録走査を増やして、一度に付与する顔料インクの量を少なくしている。このように反応インクと顔料インクとが同時に記録媒体上に付与される量を減らし、より反応インクと顔料インクとが反応しやすくなるようにしている。さらに、顔料インクの１回の記録走査で付与される量を減らすことで、顔料インクの浸透阻害要因が減り、インクに含有される溶剤の浸透性が良化し、記録直後の定着性が良くなる。
【００３２】
図３は、本実施形態における記録制御を示すフローチャートである。以下、このフローチャートに沿って本実施形態の記録制御を説明する。ステップＳ３０１でホスト装置１００のプログラム（アプリケーション）からユーザが画像データの記録指示を出すと、ホスト装置１００のメモリ１１にインストールされているプリンタドライバは、画像データ内の画像情報の属性（オブジェクト属性）を判別する。具体的には、プリンタドライバは、プログラム（アプリケーション）で生成された画像データの所定の領域のオブジェクト属性が、文字・線画のテキスト・線画属性であるか、ポスターや写真のようなイメージ画像であるかを判別する。このオブジェクト属性は、プログラム（アプリケーション）で画像データを生成する際に付与されるもので、付与のされ方はブログラム（アプリケーション）よって異なっている。例えば、画像データの所定領域の画像データが、イメージ画像データであるか、文字画像データであるか、線画画像データであるかを示すように、所定領域ごとにオブジェクト属性の情報が付与されていることもある。また、他の例としては、画像データを文字画像レイヤー、イメージ画像レイヤー、線画画像レイヤーと分割されていて、画像データが含まれる領域と、レイヤーとから画像データのオブジェクト属性が付与されている。さらに、プログラム（アプリケーション）により付与されたオブジェクト属性を基に、オペレーティングシステムによって独自のオブジェクト属性が付与されることもある。プリンタドライバは、画像データを解析することで、プログラムで生成された画像データの所定の領域のオブジェクト属性を判別することができる。また、オペレーティングシステムや、アプリケーションの描画命令に基づいたオブジェクト属性をも判別することもできる。
【００３３】
本実施形態では、画像データの所定領域ごとにオブジェクト属性の情報が付与されている形式の画像データで説明する。所定領域としては、４×４の画素群の大きさごとにオブジェクト属性の情報が付与されている。４×４の画素群の中に文字・線画画像が含まれている場合は、画像のオブジェクト属性はテキスト・線画属性の情報が付与されている。４×４の画素群の中にイメージ画像が含まれている場合は、画像のオブジェクト属性はイメージ画像属性の情報が付与されている。なお、４×４の画素群の中に文字・線画画像とイメージ画像の両方が含まれる場合、本実施形態では画像のオブジェクト属性はテキスト・線画属性の情報が付与されている。
【００３４】
なお、プログラム（アプリケーション）で生成された画像データとは、イメージ画像（写真画像やポスター画像）や文字、線画などを含む。さらに、ユーザがプログラム（アプリケーション）で生成した画像データだけでなく、ネットワーク経由で表示されるＷｅｂ画面や、カメラで撮影された写真画像など、プリンタ２００から記録する際のデータを画像データとして扱える。また、本実施形態におけるイメージ画像データとは、写真や絵画などの画像データを示しており、線画とは、罫線や図形、ＣＡＤ図面のような線で描かれたグラフィックス画像のことを示している。
【００３５】
次にステップＳ３０２で、画像データがＲＧＢ色空間で生成されているＲＧＢ多値データある場合には、記録に用いるインクに対応するＣＭＹＫ２値データへ変換する画像処理が行われる。具体的には、まずＲＧＢ多値データを記録に用いるインクに対応するＣＭＹＫ多値データに変換する。次に、ホスト装置１００のメモリ１１に格納されている２値化パターンにしたがって、それぞれのインクに対応するＣＭＹＫ多値データをそれぞれＣＭＹＫ２値データ（ビットマップデータ）に展開する。
【００３６】
次に、ステップＳ３０３で反応インク用の記録データを生成する。具体的には、ステップＳ３０２で展開されたそれぞれのインクに対応するＣＭＹＫ２値データ全ての論理和の演算をすることで、記録媒体上のそれぞれの位置にインクが付与されるか否かを示すデータを得る。この得られたデータと後述する画像データ振り分けマスクとで論理積の演算をすることで反応インク用記録データの生成を行う。なお、反応インクが隣接するＣＭＹＫインクとも接触可能であるならば、ＣＭＹＫのインクが付与される位置全てに反応インクが付与する構成ではなく、反応インクの付与する量を減らしても良い。このときＣＭＹＫ２値データの論理和の演算を行ったあとに、データを間引くような間引きマスクと論理積の演算を行うことで、付与する量を減らすことができる。
【００３７】
次にステップＳ３０４で、ステップＳ３０１で判断された画像データのオブジェクト属性に基づいて、所定領域ごとの画像データ内に文字・線画が含まれているか判断する。ステップＳ３０４において、画像データ内に文字・線画が含まれていると判断されたら、ステップＳ３０５に移行する。そしてステップＳ３０５で、文字・線画部分の画像データが他の画像データよりも多い回数の記録走査で記録が行われるよう後述する方法で画像データを振り分けて記録データを生成する。また、ステップＳ３０４において、画像データ内に文字・線画画像が含まれていないと判断されたら、ステップＳ３０６に移行する。そしてステップＳ３０６で、ユーザがプリタドライバで設定した記録モードに基づいて得られる走査回数で記録が行われるよう画像データを振り分けて記録データを生成する。その後、ステップＳ３０７で、記録する画像データ全てのマスク処理が完了したかを確認して、完了していればステップＳ３０８に移行する。ステップＳ３０７で全てのマスク処理が完了していなければ、ステップＳ３０４まで戻り、同じ工程を繰り返す。そしてステップＳ３０８では、インクジェット記録装置２００は、ステップＳ３０５、ステップＳ３０６で振り分けて生成された記録データをホスト装置１００から受信し、この記録データに従って記録媒体に画像の記録を行う。
【００３８】
図４（ａ）から（ｃ）は、画像データの振り分けに用いる振り分けマスクを示した図である。本実施形態のマスクは、ホスト装置１００のメモリ１１に格納されている画像データの振り分けに用いられるマスクであり、それぞれの記録走査で付与するデータを決定するものである。
【００３９】
図４（ａ）は、図３のステップＳ３０３で反応インクの記録データを生成する際に用いられるマスクである。本実施形態の反応インク、顔料インクは、反応インクの浸透性が相対的に低く、顔料インクの浸透性が相対的に高い。そのため、反応インクが先に記録媒体上に存在していた方がインクとの反応性が強い。そこで本実施形態では、記録媒体に付与すべき反応インクを最初の１回目の記録走査において記録するような振り分けマスクとなっており、２回目の記録走査において反応インクの記録は行われない。
【００４０】
図４（ｂ）は、文字や線画画像が含まれない画像データを記録する際の顔料インク用のマスクである。この振り分けマスクは、ユーザが設定する記録品位や記録媒体の種類などに応じた記録モードに基づいて得られる走査回数で記録が行われるよう画像データを振り分けるもので、本実施形態では２回の記録走査で記録が行われる。図４（ｂ）は、４×４ドットの画素群に対して、２回の記録走査で画像を完成するようデータを振り分けるマスクである。２つの４×４ドットの画素群の上から、１回目の記録走査のための記録データを生成するためのマスク、２回目の記録走査のための記録データを生成するためのマスクを並べたものである。黒塗りの画素はインクが塗布されることを示しており、これら２つのマスクの画素群を重ねると、全ての画素が１度だけインクが吐出されるよう、互いに補完する関係に設定されている。ＣＭＹＫ２値データの一部（４×４ドットの大きさ）と各パスに対応するマスクとの論理積（ＡＮＤ）処理を行うことで、各記録走査でインクを付与するための記録データを生成することができる。
【００４１】
図４（ｃ）は、文字や線画部分の画像データの記録データを生成する際の顔料インク用のマスクである。図４（ｂ）は２回の記録走査で画像を完成するようなマスクであったが、図４（ｃ）は４回の記録走査で画像を完成するようなマスクである。このように、本実施形態では文字や線画部分の画像データの記録走査回数が、文字や線画画像が含まれない画像の記録走査回数よりも多くなるように画像データを振り分ける。記録データの生成方法は図４（ｂ）のマスクと同じであるので省略する。なお、同じ記録走査内に文字画像とイメージ画像が含まれる場合、文字画像は図４（ｃ）のマスクを用いて４回の記録走査で画像を完成させ、イメージ画像は図４（ｂ）のマスクを用いて２回の記録走査で画像を完成させる。このとき、イメージ画像についても記録ヘッドが走査する回数は、文字画像にあわせた４回となるが、そのうちの２回の記録走査でイメージ画像を完成させている。残りの２回の走査では、イメージ画像についてはインクが付与されない。つまり、画像を完成させるためにインクを付与する走査の回数を記録走査と考える場合、文字画像の記録走査回数がイメージ画像の記録走査回数よりも多くなっている。
【００４２】
このように、本実施形態では、インクと接触することで顔料を凝集または堆積させる反応インクを用いた場合に、文字や線画部分の画像データの記録走査回数を、イメージ画像の記録走査回数よりも多くなるように記録を行っている。これにより、インクと反応インクとの反応がより促進されて、特に、文字や線画部分の記録品位や記録直後の定着性の良い画像を得られる。
【００４３】
なお、本実施形態において、一つの画像データの異なる記録走査内に文字や線画画像とイメージ画像とが含まれる場合、イメージ画像部分に関しては２回の記録走査のみインクを付与するものの、画像データ全体を４回の記録走査で行うように制御してもよい。この場合、文字や線画画像が含まれる記録走査と含まれない記録走査において、イメージ画像部分に付与されるインクの時間差ムラが生じにくくなるので、高品位な画像が得られる。また、記録媒体の全領域に対して記録ヘッドを４回走査させて記録を行うので、制御が簡易である。
【００４４】
また、一つの画像データの異なる記録走査内に文字や線画画像とイメージ画像が含まれる場合、文字や線画画像が含まれる記録走査に関してのみ４回の記録走査で記録を行い、イメージ画像のみの記録走査に関しては２回の記録走査で記録を行うようにしてもよい。この場合、一つの画像データの記録に要する時間を短縮することができ、スループットを向上させることが可能となる。
【００４５】
さらにまた、画像データの属性について、プログラム等で付与されない場合もある。このような場合は、画像データの所定領域毎の色情報（または記録に使われるインクの種類）とインク付与量に基づいてイメージ画像か、文字・線画かを判定するような従来の手法を用いて画像データの属性判断を行ってもよい。例えば、１０×１０画素の領域内で画素毎の色情報（例えば、ＲＧＢ値）の変化が少なく、領域内でインクを付与する画素が少ない場合、文字や線画である確立が高い。領域内で、画素毎の色情報の変化が多く、領域内でインクを付与する画素が多い場合には、イメージ画像である確立が高い。このようにして、画像データの属性を判断することも可能である。
【００４６】
このように記録データに文字が含まれている場合、単位面積あたりに付与するインクの総量が文字データ或いは線画データと、イメージデータとで同じ場合、１回の走査で付与するインク量をイメージデータよりも文字データの方が少なくなるようにする。
【００４７】
（他の実施形態）
上述の実施形態では、画像のオブジェクト属性を判別する所定領域として４×４の画素群としたが、これに限らない。画素ごとにオブジェクトを判別して、画素ごとに画像データを振り分けるマスクを選択してもよい。画素ごとにオブジェクトを判別することで、イメージ画像と文字・線画画像が隣接する場合でも、イメージ画像部分の記録走査回数が同じになり、イメージ画像部分の画像品位の低下を低減できる。また、４×４の画素群よりも大きい領域で判別しても良い。大きな領域毎にオブジェクトを判別することで、処理負荷を低減させることが可能となる。
【００４８】
また上述の実施形態ではＣＭＹＫ２値データへ変換し、記録データを生成するまでをホスト装置のＣＰＵおよびプリンタドライバが行うこととして説明したが、ＲＧＢ多値データを記録装置が取得し、その後の処理を記録装置のＣＰＵにより行う構成としてもよい。
【符号の説明】
【００４９】
１  記録媒体
５  記録ヘッド
６  インクタンク
２０  制御部
１００  ホスト装置
【図１】
2012101468.tif 000003
【図２】
2012101468.tif 000004
【図３】
2012101468.tif 000005
【図４】
2012101468.tif 000006